(57)【要約】【課題】撮像素子が設けられた本体にキー操作部を備える撮像装置において、本体を大きくせずに被写体を明るくするための照明を設ける。【解決手段】一方の平面に撮像手段１４、操作手段９０、及びこの操作手段を照明する照明手段９６を備えた本体部２と、蓋部３と、本体部と蓋部とを略３６０°回動自在に連結する連結部４とを有する撮像装置１である。連結部によって蓋部がこの本体部の他方の平面に近接する位置まで回動されたことを検出する検出手段４１ａ、４２ａと、この検出手段によって蓋部がこの本体部の他方の平面に近接する位置まで回動されたことを検出すると、照明手段を強発光にする発光制御手段２５とを備える。【選択図】図２
2006108982.tif 000002
【特許請求の範囲】
【請求項１】
一方の平面に撮像手段、操作手段、及びこの操作手段を照明する照明手段を備えた本体部と、蓋部と、前記本体部と前記蓋部とを略３６０°回動自在に連結する連結部とを有する撮像装置において、
前記連結部によって前記蓋部がこの本体部の他方の平面に近接する位置まで回動されたことを検出する検出手段と、
この検出手段によって前記蓋部がこの本体部の他方の平面に近接する位置まで回動されたことを検出すると、前記照明手段を強発光にする発光制御手段とを備えることを特徴とする撮像装置。
【請求項２】
前記検出手段によって前記蓋部がこの本体部の他方の平面に近接する位置まで回動されたことを検出すると、前記操作手段からの入力信号をキャンセルするキャンセル手段をさらに備えることを特徴とする請求項１記載の撮像装置。
【請求項３】
前記操作手段は、数値を入力するためのテンキー部分とその他の選択操作を行うキー部分とで構成され、
前記キャンセル手段は、前記テンキー部分からの入力信号をキャンセルすることを特徴とする請求項２記載の撮像装置。
【請求項４】
前記照明手段は、前記その他の選択操作を行うキー部分を照明するための第１の照明手段と、前記テンキー部分を照明するための第２の照明手段とからなり、
前記発光制御手段は、前記第１の照明手段を強発光にすることを特徴とする請求項３に記載の撮像装置。
【発明の詳細な説明】
【技術分野】
【０００１】
本発明は、撮像装置に関する。
【背景技術】
【０００２】
従来の撮像装置としては、例えば特許文献１に挙げるものがある。この撮像装置は、カメラ本体の端部に蓋体がヒンジ部で接合されている。カメラ本体にはレンズに隣接してファインダー用の撮像素子が設けられている。
【０００３】
蓋体は、非撮影時にカメラ本体のレンズが設けられた前面を覆うとともに、撮影時にはカメラ本体の後部に配置される。また、蓋体には、カメラ本体のレンズを覆う側の面にファインダーが設けられている。このファインダーは、撮影時にはカメラ本体の後方を向いて配置され、撮像素子に取得された被写体像を表示する（特許文献１参照）。
【０００４】
ところで、近年、表示部が設けられた蓋体と、キー操作部が設けられた本体とが、ヒンジ部で折り畳んで重ね合わせられるように接続された、いわゆる折り畳み式の携帯電話機に、撮像装置を設け、表示部をファインダーとして使用するカメラ付き携帯電話機が普及している。
【０００５】
例えば、本体と蓋体とを結合するヒンジ部に回転自在にカメラを組み込み、撮像素子を表示部と同方向または反対方向に向けられるようにし、風景等の被写体の撮影に加え、撮影者自身の撮影を可能としたものもある（例えば特許文献２参照）。
【０００６】
特許文献２に記載のカメラ付き携帯電話機では、撮像素子を前後いずれの方向にも向けられるように回転自在に組み込んだり、蓋体等の表裏両面に撮像素子を組み込んだりする必要があり、構造が複雑となり、部品点数が増大する原因となっていた。
【０００７】
特許文献１のカメラ本体及び蓋体の構造を、折り畳み式のカメラ付き携帯電話機に適用することで、構造を単純化し部品数を減らすことも考えられる。その場合、撮影時には、蓋体の表示部が設けられた面をユーザ側に向けると、本体のキー操作部が設けられた面が被写体側を向くので、キー操作部が設けられた面に撮像素子を設けることとなる。
【特許文献１】特開平８−３３１４２４号公報
【特許文献２】特開２００２−２９５４４５号公報
【発明の開示】
【発明が解決しようとする課題】
【０００８】
本体のキー操作部が設けられた面に撮像素子を設ける場合には、被写体を明るくするための照明装置も本体のキー操作部が設けられた面に設けることとなる。しかし、キー操作部が設けられた面にこのような照明装置を別途設けると、携帯電話機が大型化するという問題があった。
【０００９】
本発明の課題は、カメラ付き携帯電話機等の、撮像素子が設けられた本体にキー操作部を備える撮像装置において、本体を大きくせずに被写体を明るくするための照明機構を設けることである。
【課題を解決するための手段】
【００１０】
以上の課題を解決するため、請求項１に記載の発明は、例えば図１〜４に示すように、一方の平面に撮像手段（撮像レンズ１４）、操作手段（キー操作部９０）、及びこの操作手段を照明する照明手段（第１キー照明部９６）を備えた本体部（本体２）と、蓋部（蓋体３）と、前記本体部と前記蓋部とを略３６０°回動自在に連結する連結部（ヒンジ部４）とを有する撮像装置（携帯電話機１）において、前記連結部によって前記蓋部がこの本体部の他方の平面に近接する位置まで回動されたことを検出する検出手段（第１角度検出部４１ａ、第２角度検出部４２ａ）と、この検出手段によって前記蓋部がこの本体部の他方の平面に近接する位置まで回動されたことを検出すると、前記照明手段を強発光にする発光制御手段（電流調整部２５）とを備えることを特徴とする。
【００１１】
請求項１に記載の発明によれば、蓋部を本体部の他方の平面に近接する位置まで回動させることで、撮像装置としての動作した場合に照明手段を強発光にして被写体を明るくすることができる。
【００１２】
請求項２に記載の発明は、請求項１に記載の撮像装置であって、前記検出手段によって前記蓋部がこの本体部の他方の平面に近接する位置まで回動されたことを検出すると、前記操作手段からの入力信号をキャンセルするキャンセル手段（ゲート部２６）をさらに備えることを特徴とする。
【００１３】
請求項２に記載の発明によれば、撮像手段による撮像時に、キャンセル手段が操作手段からの入力信号をキャンセルし、誤動作を防止することができる。
【００１４】
請求項３に記載の発明は、請求項２に記載の電子機器であって、前記操作手段は、数値を入力するためのテンキー部分（テンキー１０２）とその他の選択操作を行うキー部分（各種メニューキー９２〜９５、９７〜１０１）とで構成され、前記キャンセル手段は、前記テンキー部分からの入力信号をキャンセルすることを特徴とする。
【００１５】
請求項３に記載の発明によれば、キャンセル手段がテンキー部からの入力信号をキャンセルするので、誤動作を防止するとともに、選択操作を行うキー部分を押し、例えばカメラモードを起動する等、その他の選択操作を行うことができる。
【００１６】
請求項４に記載の発明は、請求項３に記載の撮像装置であって、前記照明手段は、前記その他の選択操作を行うキー部分を照明するための第１の照明手段（第１キー照明部９６）と、前記テンキー部分を照明するための第２の照明手段（第２キー照明部１０３）とからなり、前記発光制御手段は、前記第１の照明手段を強発光にすることを特徴とする。
【００１７】
請求項４に記載の発明によれば、テンキー部を照明する第２照明手段を強発光させずに、第１照明手段のみを強発光させることで、電力消費を抑えることができる。
【発明の効果】
【００１８】
本発明によれば、操作手段を照明する照明手段が撮像時において強発光するので、本体を大きくせずに被写体を明るくすることができ、撮像装置を小型化することができる。
【発明を実施するための最良の形態】
【００１９】
以下、本発明の第１の実施の形態として、カメラ付きの携帯電話機について詳細に説明する。携帯電話機１は、本体２と、蓋体３と、ヒンジ部４とから概略構成されている。本体２と蓋体３とは、端部でヒンジ部４により折り畳んで重ね合わせられるように接続されている。ここで、図１及び図４（ａ）は折り畳んで閉じた状態（第１の折り畳み状態）、図２及び図４（ｂ）は開いた状態、図３及び図４（ｃ）は後述する第２の折り畳み状態の携帯電話機１を示す図である。
【００２０】
本体２には、一方の面に、撮像レンズ１４と、キー操作部９０と、通話用マイク１５とが設けられている。撮像レンズ１４は、後述する撮像デバイス１４１、ＤＳＰ１４２とともに、撮像装置を構成する。
【００２１】
キー操作部９０は、各種メニューキー（カメラキー９２、アドレス帳キー９３、メールキー９４、ネット接続キー９５）と、カーソルキー９７と、決定キー９８と、オンフックキー９９と、クリアキー１００と、オフフックキー１０１と、テンキー１０２とを備える。
【００２２】
各種メニューキーは撮像レンズ１４の近傍に配置されている。各種メニューキーは、ユーザが操作することにより、各種メニューモードを起動する。カメラキー９２は、後述するカメラモードを起動する。アドレス帳キー９３は、アドレス帳モードを起動する。メールキー９４は、メールモードを起動する。ネット接続キー９５は、ネット接続モードを起動する。
【００２３】
カーソルキー９７は、各種メニューキーの中央に配置されている。カーソルキー９７は、各種メニューモードにおいて、カーソルを上下左右に移動するのに用いる。決定キー９８は、カーソルキー９７の中心に配置されている。決定キー９８は、各種モードにおいて、カーソルがある位置の選択肢を決定するのに用いる。
【００２４】
オンフックキー９９及びオフフックキー１０１は、それぞれオンフック操作、オフフック操作に用いる。テンキー１０２は文字や数字の入力操作に用いる。クリアキー１００は、テンキー１０２による入力をクリアしたり、各種メニューキーによる各種メニューモードをクリアしたり、各種モードにおいて、カーソルがある位置の選択肢をキャンセルしたりするのに用いる。
【００２５】
カーソルキー９７の外周部には環状の第１キー照明部９６が設けられている。第１キー照明部９６は、各種メニューキー及びカーソルキー９７を照明するとともに、後述するカメラモードにおいて、フラッシュ照明としても機能する。
また、オンフックキー９９、クリアキー１００、オフフックキー１０１、及びテンキー１０２には第２キー照明部１０３が設けられている。第２キー照明部１０３は、これらのキーを照明する。
【００２６】
キー操作部９０が設けられた面と反対側の面には、携帯電話機１を駆動する電池を収納する電池蓋１０が設けられている。
【００２７】
本体２の左側の側面には、イヤホンマイクコネクタ８、サイドキー部（シーソースイッチ９１１及びプッシュスイッチ９１２）が設けられている。イヤホンマイクコネクタ８は、イヤホンマイクが接続されることにより、音声出力を入出力する。
本体の下面には、他の携帯電話機等と赤外線通信によりデータを送受信するＩＲ通信部７が設けられている。
【００２８】
蓋体３の、開いた状態でキー操作部９０と同じ方向を向く面には、音声通話用スピーカ１１、メイン表示部１２、ステレオスピーカ１３が設けられており、反対側の面には、サブ表示部６が設けられている。メイン表示部１２には、待受け時には現在時刻や各種モード等が表示され、着信時やメール受信時には発信者や送信者の情報が表示される。サブ表示部６には、待受け時には現在時刻等が表示され、着信時やメール受信時には発信者や送信者の情報が表示される。
【００２９】
ヒンジ部４は、一方の端部に蓋体３を回転自在に接続する蓋体軸４１を備えるとともに、他方の端部に本体２を回転自在に接続する本体軸４２を備える。蓋体軸４１、本体軸４２は、蓋体３または本体２をヒンジ部４に対して０〜１８０°回転させる。蓋体軸４１には蓋体３のヒンジ部４に対する角度を検出する第１角度検出部４１ａが、本体軸４２には本体２のヒンジ部４に対する角度を検出する第２角度検出部４２ａが設けられている。後述するように、第１角度検出部４１ａ及び第２角度検出部４２ａが出力する検出信号により、携帯電話機１の機能が切り替わる。
【００３０】
図１に示す第１の折り畳み状態が、本体軸４２、及び蓋体軸４１における本体２及び蓋体３の回転角度が０°の位置である。そして、図２の開いた状態は、図１の状態から蓋体３を蓋体軸４１で１６０°回転させた場合を示している。蓋体３を蓋体軸４１で１６０°回転させた状態では、音声通話用スピーカ１１がユーザの口に対して通話に適した位置に配置されるとともに、通話用マイク１５がユーザの耳に対して通話に適した位置に配置される。
【００３１】
なお、撮像装置によりユーザ自身を撮影する時には、蓋体軸４１で蓋体３を１８０°回転させ、メイン表示部１２で撮影像を観察しながら撮影することができる。また、蓋体軸４１で蓋体３を１８０°回転させた状態では、携帯電話機１をテレビ電話としても利用することができる。
【００３２】
さらに、図３に示す第２の折り畳み状態が、蓋体軸４１で蓋体３を１８０°回転させるとともに、本体軸４２で本体２を１８０°回転させた状態である。第２の折り畳み状態では、キー操作部９０とメイン表示部１２とが反対方向を向く。このため、撮像装置が撮影する画像をメイン表示部１２に表示し、ユーザ以外の被写体を撮影するカメラとして使用することができる。また、音声通話用スピーカ１１及びステレオスピーカ１３をステレオスピーカとし、メイン表示部１２にテレビ画像を表示して、携帯電話機１をテレビとして使用することもできる。
【００３３】
また、ヒンジ部４には、報知ＬＥＤが設けられている。報知ＬＥＤは、電話着信時やメール受信時に点灯・点滅して着信やメール受信をユーザに報知する。
【００３４】
図５は、この携帯電話機１の通信・画像・制御処理を示すブロック図である。無線処理部１７は、本体２に内蔵された内蔵アンテナ１６より受信した８００ＭＨｚ〜２．４ＧＨｚのＰＳＫ式の信号を復調、波形成形、デジタル波形処理して後段の制御部１８にデジタル波形信号を出力する。また、制御部１８から入力されたデジタル波形信号に基いて、内蔵アンテナ１６より出力される信号を生成する。
【００３５】
制御部１８は、信号処理部１８１、システムＲＯＭ１８２、オーディオインターフェイス１８３からなり、カメラモード時による撮像制御を含め、携帯電話機１全体を制御する。
【００３６】
信号処理部１８１は、無線処理部１７より入力されたデジタル波形信号を、対応する通信方式（ＣＤＭＡ方式）に準拠した信号に変換し、音声信号であれば後段のオーディオインターフェイス１８３に出力し、データ信号であればバスＢに出力する。また、オーディオインターフェイス１８３から圧縮処理されたデジタル音声信号が入力されると、上記通信方式に沿ったデジタル信号に変換し、無線処理部１７へ出力する。
【００３７】
システムＲＯＭ１８２は、ユーザの加入者情報や端末識別情報を含む当該携帯電話機の基本的なシステムプログラムを記憶する。
【００３８】
オーディオインターフェイス１８３は、通話用マイク１５またはイヤホンマイクを介して入力された音声をＱＣＥＬＰ方式に準じたデジタル音声信号へ圧縮処理して信号処理部１８１へ出力する。一方、信号処理部１８１より出力された圧縮処理されたデジタル音声信号を復調して、スピーカ切り替え部２２へ出力する。
【００３９】
上記の通信方式において、映像データと音声データとを多重化して無線通信される場合、これに応じてテレビ電話機能が実現する（テレビ電話モード）。すなわち、音声通話処理を行う一方で、同時に受信した映像データをメイン表示部１２へ出力するとともに、撮像レンズ１４を介して撮像される映像データを送信処理する。
【００４０】
音源ＩＣ１９は、バスＢより入力される音声信号（メロディ情報）を読み込み、出力すべき楽音情報データをＤ／Ａ・ＡＭＰ２０に出力する。スピーカドライバ２１は、着信を検出してからオフフック検出（オフフックキー１０１の操作検出）をするまでは、Ｄ／Ａ・ＡＭＰ２０からの出力を優先し、オフフック検出の後は、オーディオインターフェイス１８３からの出力を優先するように切り替え制御を行う。
【００４１】
スピーカ切り替え部２２は、オーディオインターフェイス１８３またはスピーカドライバ２１から出力された音声信号をイヤホンマイクコネクタ８、音声通話用スピーカ１１、または、音声通話用スピーカ１１とステレオスピーカ１３との両方、のいずれかへ出力するかを切り替える。
ＩＲ通信部７は、他の携帯電話機１等と赤外線通信によりデータ信号の送受信を行う。
【００４２】
第１角度検出部４１ａは、蓋体３がヒンジ部４に対して１８０°回転したか否かを検出し、１８０°回転していれば、検出信号をバスＢへ出力する。第２角度検出部４１は、本体２がヒンジ部４に対して１８０°回転したか否かを検出し、１８０°回転していれば、検出信号をバスＢへ出力する。
【００４３】
表示ドライバ２３は、サブ表示部６及びメイン表示部１６の液晶表示デバイスを駆動させるための駆動信号を生成する回路部である。ＬＥＤ制御系ドライバ２４は、メイン表示部５、第１キー照明部９６、第２キー照明部１０３を制御する。
【００４４】
電流調整部２５は、第１角度検出部４１ａ、第２角度検出部４２ａの検出信号、及び、後述するサイドキー部の操作により、第１キー照明部９６に流れる電流量を調整し、第１キー照明部９６を強発光させる。
【００４５】
第１角度検出部４１ａ、第２角度検出部４２ａのどちらも検出信号を出力しない場合、すなわち、第１の折り畳み状態では、電流調整部２５は第１キー照明部９６に電流を流さず、第１キー照明部９６を発光させない。
【００４６】
第１角度検出部４１ａ、第２角度検出部４２ａの一方のみが検出信号を出力するとき、すなわち、本体２と蓋体３とを１８０°開いた状態では、電流調整部２５は第１キー照明部９６に少量の電流（第１電流値）を流し、第１キー照明部９６を弱発光させ、カーソルキー９７や周囲のキーを照明する。
【００４７】
第１角度検出部４１ａ、第２角度検出部４２ａの両方が検出信号を出力するとき、すなわち第２の折り畳み状態で、被写体を撮影する場合には、電流調整部２５はより大きい電流（第２電流値）を第１キー照明部９６に流し、第１キー照明部９６を強発光させる。
【００４８】
ゲート部２６は、キー操作部９０のうちテンキー１０２からの入力信号をそのままバスＢに出力させるか否かを制御する。第１角度検出部４１ａ、第２角度検出部４２ａの両方が検出信号を出力するときには、テンキー１０２からの入力信号のみをＮＯＰ信号に変換し、テンキー１０２の操作を無効とする。それ以外の場合には、テンキー１０２を含むキー操作部９０からの入力信号をバスＢへ出力する。このため、テンキー１０２からの入力信号による誤動作を防止することができる。
【００４９】
なお、テンキー１０２からの入力信号のみをキャンセルし、他のキーからの入力信号をキャンセルしないのは、カメラキー９２によるカメラモードへ移行する指示が不可能となるためである。
【００５０】
サイドキー部は、シーソースイッチ９１１とプッシュスイッチ９１２とからなる。シーソースイッチ９１１は、カメラモードでは、カメラ倍率を変えるズームキーとして作用する。プッシュスイッチ９１２は、通常は押し下げることで携帯電話機１をマナーモードにするが、カメラモードでは、シャッターボタンとして作用する。
【００５１】
また、サイドキー部は、カメラモードにおいて、ユーザがズームキー及びシャッターボタンを所定操作すると、電流調整部２５にライト指示を出し、第１キー照明部９６を強発光させ、フラッシュとして機能させる。
【００５２】
ＲＡＭ２７は、アドレス帳データやメールデータ、画像ファイル、画像処理アプリケーションプログラムを含む、各種ソフトウェア等を格納・管理する。画像処理部２８は画像処理アプリケーションプログラム等を用いて画像を処理する。
【００５３】
撮像デバイス１４１は撮像レンズ１４を介して取得した光強度をフレーム単位で逐次ＲＧＢの電流値に変換し、ＤＳＰ１４２に出力する。ＤＳＰ１４２は撮像デバイス１４２より入力されたＲＧＢの電流値を輝度色差信号データに変換し、更には、ＪＰＥＧ、ＭＰＥＧ等の信号圧縮を行ってバスＢに出力する。
【００５４】
図６は、携帯電話機１の動作を示すフローチャートである。まず、第１の折り畳み状態で、第１角度検出部４１ａから検出信号が出力されているか否かを判別する（ステップＳ１）。検出信号が出力されていなければ、フローチャートの先頭にリターンし、待受状態を維持する。
【００５５】
検出信号が出力されている場合には、サブ表示部６の表示を上下反転させ、メイン表示部１２の電源を入れ、第１キー照明部９６及び第２キー照明部１０３を弱発光させる（ステップＳ２）。その後、待受け状態で待機する（ステップＳ３）
【００５６】
次いで、第２角度検出部４２ａから検出信号が出力されているか否かを判別する（ステップＳ４）。第２角度検出部４２ａから検出信号が出力されていない場合には、第１角度検出部４１ａから検出信号が出力されているか否かを判別する（ステップＳ１６）。第１角度検出部４１ａから検出信号が出力されていなければ、フローチャートの先頭にリターンし、待受状態を維持する。第１角度検出部４１ａから検出信号が出力されている場合には、ステップＳ３に戻り、待受け状態で待機する。
【００５７】
第２角度検出部４２ａから検出信号が出力されている場合には、携帯電話機１を第２の折り畳み状態でテレビとして使用可能にする。すなわち、ゲート部２６に対しテンキー１０２からの入力信号をＮＯＰ信号に変換し、テンキー１０２の操作を無効とする。また、音声通話用スピーカ１１及びステレオスピーカ１３の駆動準備をし、メイン表示部１２の表示の縦横方向を切り替える（ステップＳ５）。その後、待受け状態で待機する（ステップＳ６）
【００５８】
次に、第２の折り畳み状態からカメラモードへ移行する動作について説明する。まず、待受け状態で、カメラモード起動指示の有無を判別する（ステップＳ７）。ユーザによるカメラキー９２の操作を検出せず、他の各種モードキー（アドレス帳キー９３、メールキー９４、ネット接続キー９５）の操作を検出した場合には、他のモード処理（アドレス帳モード、メールモード、ネット接続モード）を行う（ステップＳ１７）。
【００５９】
ユーザによるカメラキー９２の操作を検出した場合には、撮像デバイス１４１、ＤＳＰ１４２、画像処理部２８を起動する（ステップＳ８）。次いで撮像レンズ１４を介して撮像デバイス１４１が取得した画像をメイン表示部１２にモニタースルー表示する（ステップＳ９）。
【００６０】
次いで、ライト指示の有無を判別する（ステップＳ１０）。ライト指示を検出した場合は、電流調整部２５により第１キー照明部９６に第２電流値の電流を流し、第１キー照明部９６を強発光させる（ステップＳ１１）。次いでシャッターボタン（プッシュスイッチ９１２）の操作の有無を判別する（ステップＳ１２）。なお、ライト指示を検出しない場合には、そのままステップＳ１２へ移行する。
【００６１】
シャッターボタンの操作が検出されない場合には、ステップＳ９に戻り、モニタースルー表示を継続する。シャッターボタンの操作が検出された場合には、撮像デバイス１４１により取得した光強度をフレーム単位で逐次ＲＧＢの電流値に変換し、ＤＳＰ１４２によりＲＧＢの電流値を輝度色差信号データに変換し、信号圧縮を行ってバスＢに出力する（ステップＳ１３）。
【００６２】
その後、モニタースルー表示状態で待機し（ステップＳ１４）、オンフックキー９９の操作を検出（ステップ１５）しない場合は、ステップＳ１２に戻る。一方、オンフックキー９９の操作を検出した場合には、カメラモードを終了し、ステップＳ６に戻る。
【００６３】
このように、本実施の形態では、各種メニューキー及びカーソルキー９７を照明するキー照明として機能する第１キー照明部９６が、カメラモードにおいては被写体を照明するフラッシュ照明を兼ねるフラッシュ兼用照明手段となる。このため、本体２に別個にフラッシュ照明手段を設ける必要がなくなり、携帯電話機１を小型化することができる。
【００６４】
なお、以上の実施の形態においては、折り畳み式の携帯電話機について説明したが、本発明は携帯電話機に限らず、例えばＰＤＡやその他の電子機器にＣＣＤカメラ等の撮像手段を設けた撮像装置においても用いることができる。また、その他具体的な細部構造についても適宜変更可能であることはもちろんである。
【図面の簡単な説明】
【００６５】
【図１】本発明の実施の形態として、閉じた状態の折り畳み式の携帯電話機を示す斜視図である。
【図２】図１の携帯電話機を開いた状態を示す斜視図である。
【図３】図１の携帯電話機のカメラモードを示す斜視図であり、（ａ）はキー操作部側から見た図、（ｂ）はメイン表示部側から見た図である。
【図４】（ａ）は図１の側面図、（ｂ）は図２の側面図、（ｃ）は図３の側面図である。
【図５】図１~４の携帯電話機の通信・画像・制御処理を示すブロック図である。
【図６】図１~４の携帯電話機の動作を示すフローチャートである。
【符号の説明】
【００６６】
１     携帯電話機（撮像装置）
２     本体（本体部）
３     蓋体（蓋部）
４     ヒンジ部（連結部）
１２   メイン表示部
１４   撮像レンズ（撮像手段）
１８   制御部（発光制御手段）
２５   電流調整部（発光制御手段）
２６   ゲート部（キャンセル手段）
４１   蓋体軸
４１ａ 第１角度検出部（検出手段）
４２   本体軸
４２ａ 第２角度検出部（検出手段）
９０   キー操作部（操作手段）
９２   カメラキー
９３   アドレス帳キー
９４   メールキー
９５   ネット接続キー
９６   第１キー照明部（照明手段、第１の照明手段）
９７   カーソルキー
９８   決定キー
９９   オンフックキー
１００ クリアキー
１０１ オフフックキー
１０２ テンキー
１０３ 第２キー照明部（第２の照明手段）
１４１ 撮像デバイス（撮像手段）
１４２ ＤＳＰ
【図１】
2006108982.tif 000003
【図２】
2006108982.tif 000004
【図３】
2006108982.tif 000005
【図４】
2006108982.tif 000006
【図５】
2006108982.tif 000007
【図６】
2006108982.tif 000008